(57)【要約】      （修正有）【課題】鴨居のない建物に神棚を強固に且つ容易に組み立てることができること。【解決手段】建物の壁板にねじ等で取り付けられる１対の柱部材２０Ｌ、２０Ｒに１対の側板３０Ｌ、３０Ｒを取付け、１対の側板３０Ｌ、３０Ｒの上下に桁部材４０Ｌを切欠きの噛み合わせで取付けて棚板受け構造体１０Ｆを形成し、この棚板受け構造体１０Ｆの上に棚板５０を搭載し、この棚板５０を柱部材２０Ｌ、２０Ｒに切欠きの噛み合わせで結合する。【選択図】図１
2015023948.tif 000002
【特許請求の範囲】
【請求項１】
建物の壁板にねじ止め等によって固定される少なくとも１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成っていることを特徴とする神棚。
【請求項２】
請求項１に記載の神棚であって、前記棚板は、その前部両端に取り付けられた１対の支持杆を介して取り付けられた雲板を含んでいる神棚。
【請求項３】
請求項１又は２に記載の神棚であって、前記棚板受け構造体の桁部材は、前記側板の上面間に取り付けられる上部桁部材と、前記側板の下面間に跨って支持される下部桁部材とから成っている神棚。
【請求項４】
請求項１乃至３のいずれかに記載の神棚であって、左右の１対の柱部材を有し、前記１対の側板は、相応する１対の柱部材にそれぞれ取り付けられている神棚。
【請求項５】
請求項１乃至３のいずれかに記載の神棚であって、前記１対の側板は、１つの柱部材に取り付けられる１つの保持板部材の両端に取り付けられている神棚。
【請求項６】
請求項１乃至５のいずれかに記載の神棚であって、前記柱部材と桁部材とは、相互に噛み合う切欠きを有する神棚。
【請求項７】
請求項１乃至６のいずれかに記載の神棚であって、前記棚板は、前記柱部材に相互に噛み合う切欠きを介して結合されている神棚。
【請求項８】
請求項１乃至７のいずれかに記載の神棚であって、前記棚板受け構造体の前記桁部材と１対の側板とは、同一の上面を有する神棚。
【発明の詳細な説明】
【技術分野】
【０００１】
本発明は、神棚に関し、特に、鴨居を有しない住宅の室内に組立てることができる神棚に関するものである。
【背景技術】
【０００２】
神棚は、通常、鴨居の上面を利用して載置し天井に固定された１対の前柱によって懸吊された棚本体を含んでいるが、最近の住宅、特に、マンションの如き洋風の住宅は、鴨居を有しないことが多く、このような住宅に神棚を祀ることが難しい。このため、鴨居を有しない住宅にも壁板に容易に設置することができる種々の簡易神棚が提案されている。
【０００３】
これらの、簡易神棚は、単に家具等の上に載置する鳥居付きの神札立ての形態の据え置き型神棚（特許文献ｈ１の実用新案登録第３０７９４４２号公報参照）や吊り紐や吊り金具を有する額縁式の神棚（例えば特許文献２の実開昭６２−１４２９８３号公報、特許文献３の実開平３−１１８７８号公報、特許文献４の特開平６−３４３５４３号公報参照）や、神棚本体の背面に設けられた係止金具によって壁板に掛け止めされる神棚（特許文献５の登録実用新案第３０３０５８０号公報参照）や、画鋲や両面テープで壁板に取り付けられる厚紙製の軽量神棚（特許文献６の特開２００１−１８６９８１号公報参照）がある。
【０００４】
これらの簡易神棚において、据え置き型神棚の如き、単なる置物の形態では、荘厳さに欠け、また懸吊型や壁掛け型の神棚は、棚板の上に載置することができないので、神棚本体が軽量であることが要求されるため、同様に、荘厳さに欠ける欠点があった。
【０００５】
また、いずれの形態でも、従来技術の簡易神棚は、大型の神殿を使用することができないので、神殿の中に神札を祀るスペースをとることが難しい。従来から小型の神殿に神札を収納するために、神殿の背板を左右方向に摺動することによって開閉することができるようにして裏側から神札を収納したり（特許文献７の実用新案登録第３０１９６１４号公報参照）、神殿の底板に神札を挿入することができるスリットを設けたりしているが（特許文献８の実用新案登録第２５３７９７７号公報参照）、これらは、いずれも神殿内に神札を収納する閉じられた収納空間を有するので、神殿の奥行きが大きくなり、また神札収納空間内に正しく重ねて祀ることが困難であった。
【０００６】
これらの欠点を解消するため、本出願人は、先に、壁板に懸吊する形式であるが、棚板を用いて大型の神殿を載置することができる神棚を提案した(特許文献９の特開２００３-１８９９９９号公報参照)。
【０００７】
この神棚は、壁板１２に斜め差込みのピン２２によって間隔をあけて懸吊される１対の懸吊具３６を有し、これらの１対の懸吊具３６に掛け止め具４０によって掛け止められた棚本体１４から成り、棚本体１４の背板１６と壁板１２との間にスペーサ２８Ａが設けられて棚本体１４が安定した姿勢で懸吊されるようになっている。
【０００８】
しかし、この神棚は、棚本体を懸吊する形態であるため、棚本体の安定性が低く、特に、地震によって揺れを受けると、破損し易く、また、例えば、榊立て等の神具を神棚に捧げる際等に神棚に手を付いて力を加えるようなことがあると、棚本体が揺れたり、懸吊が外れたりする虞があり、高い強度で棚本体を壁板に取り付けることができない欠点があった。
【０００９】
一方、神棚の棚板を壁板に水平方向に取り付けられた受け部材を鴨居の代わりにして取り付けることが行われている(非特許文献１のクボテラ有限会社のホームページ、クボテラサイト神棚セット参照)。この神棚は、懸吊式の神棚に比べて安定して取り付けられるが、受け部材は、鴨居のように強固受け機能を保持することができないので、強度的に劣る欠点があった。
【先行技術文献】
【特許文献】
【００１０】
（１） 特許文献１  実用新案登録第３０７９４４２号公報
（２） 特許文献２  実開昭６２−１４２９８３号公報
（３） 特許文献３  実開平３−１１８７８号公報
（４） 特許文献４  特開平６−３４３５４３号公報
（５） 特許文献５  登録実用新案第３０３０５８０号公報
（６） 特許文献６  特開２００１−１８６９８１号公報
（７） 特許文献７  実用新案登録第３０１９６１４号公報
（８） 特許文献８  実用新案登録第２５３７９７７号公報
（９） 特許文献９  特開２００３-１８９９９９号公報
【非特許文献】
【００１１】
非特許文献１  クボテラ有限会社のホームページ、クボテラサイト神棚セット
【発明の概要】
【発明が解決しようとする課題】
【００１２】
本発明が解決しようとする課題は、鴨居がなくても簡単に取り付けることができ、また高い強度で安定して壁板に取り付けることができる神棚を提供することにある。
【課題を解決するための手段】
【００１３】
本発明の課題解決手段は、建物の壁板にねじ止め等によって固定される少なくとも１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成っていることを特徴とする神棚を提供することにある。
【００１４】
本発明の課題解決手段において、前記棚板は、その前部両端に取り付けられた１対の支持杆を介して取り付けられた雲板を含んでいるのが好ましい。
【００１５】
本発明の課題解決手段において、前記棚板受け構造体の桁部材は、前記側板の上面間に取り付けられる上部桁部材と、前記側板の下面間に跨って支持される下部桁部材とから成っている形態とすることができる。
【００１６】
本発明の課題解決手段において、左右の１対の柱部材を有し、前記１対の側板は、相応する１対の柱部材にそれぞれ接着等の適宜の手段によって取り付けられるのが好ましいが、１つの柱部材に取り付けられる１つの保持板部材の両端に適宜の手段で取り付けられていてもよい。
【００１７】
本発明の課題解決手段において、前記柱部材と桁部材とは、相互に噛み合う切欠きを有するのが好ましく、また前記棚板は、前記柱部材に相互に噛み合う切欠きを介して結合されているのが好ましい。
【００１８】
本発明の課題解決手段において、前記棚板受け構造体は、前記桁部材と１対の側板とは、上面が同一面となるように結合されるのが好ましい。
【発明の効果】
【００１９】
本発明によれば、建物の壁板にねじ止め等によって固定される柱部材とこの柱部材の前面に取り付けられる１対の側板とこれらの１対の側板に跨って支持される桁部材とを含む棚板受け構造体から成り、棚板は、この棚板受け構造体に搭載されるので、棚板は、建物の壁板に強固に取り付けられる上に棚板受け構造体によって上下左右のいずれの方向に対しても高い強度を有し、また、雲板は、1対の支持杆を介して側板の前部両端に取り付けられるので、荘厳さを有する神棚を容易に組み立てることができる。
【図面の簡単な説明】
【００２０】
【図１】本発明の1つの実施の形態による神棚の斜視図である。
【図２】図１の神棚の正面図である。
【図３】図２と同様であるが、棚板の上に神殿を祀った神棚の正面図である。
【図４】図２の神棚の背面図である。
【図５】図１の神棚の左側面図である。
【図６】図１の神棚の上面図である。
【図７】図１の神棚に用いられる異なる寸法の棚板の斜視図である。
【図８】図１の神棚に用いられる柱部材と側板との分解斜視図である。
【図９】図１の神棚の棚板を除く部分(棚板受け構造体)の分解斜視図である。
【図１０】図９の構造体の組み立て状態の斜視図である。
【図１１】図１の神棚に用いられる棚板と支持杆付雲板との分解斜視図である。
【図１２】図１の神棚に用いられる支持杆と雲板との背面から見た分解斜視図である。
【図１３】図１の神棚に用いることができる異なる形態の棚板の斜視図である。
【図１４】本発明の他の実施の形態による神棚の斜視図である。
【図１５】図１４の神棚の棚板と支持杆と雲板とを除く部分(棚板受け構造体)の組み立て状態の斜視図である。
【図１６】図１５の棚板受け構造体の組み立て状態から上桁部材を取り外した状態の斜視図である。
【図１７】棚板受け構造体の上桁部材に棚板を固定する手段の拡大断面図である。
【図１８】棚板に雲板を支持する支持杆の取り付部の変形された形態の部分斜視図である。
【発明を実施するための形態】
【００２１】
本発明の１つの実施の形態による神棚１０が図１乃至図１２に示されており、この神棚１０は、棚板受け構造体１０Ｆとこの棚板受け構造体１０Ｆ上に搭載して固定される棚板５０とから成り、棚板受け構造体１０Ｆは、建物Ｂの壁板Ｗ(図５参照)に間隔をあけてねじ止め等によって固定される左右２つの柱部材（又は縦部材）２０Ｌ、２０Ｒと、これらの柱部材２０Ｌ、２０Ｒ(明細書の以下の記載において符号２０で総称することもある)の前面に取り付けられる左右１対の側板３０Ｌ、３０Ｒ(明細書の以下の記載において符号３０で総称することもある)と、これらの側板３０Ｌ、３０Ｒの上面間に跨って支持される上部桁部材４０Ｕと、これらの側板３０Ｌ、３０Ｒの下面間に跨って支持される下部桁部材４０Ｌとを含んでいる。なお、図３において、符号６０は、棚板５０の上に祀った神殿である。
【００２２】
柱部材２０Ｌ、２０Ｒは、その上下端部にねじ貫通孔２２ＨＵ、２０ＨＬをそれぞれ有し、これらの柱部材２０Ｌ、２０Ｒは、ねじ貫通孔２２ＨＵ、２２ＨＬを貫通して建物Ｂの壁板Ｗ、好ましくは、壁板Ｗを受け止める胴縁、間柱の如き受け止め部材Ｓにねじ込まれるねじ２４によって固定される。
【００２３】
側板３０Ｌ、３０Ｒは、図５、図9及び図１０に示すように、1対の柱部材２０Ｌ、２０Ｒの前面に適宜の接着剤で接着して固定されるが、接着に代えて木ねじ等の他の適宜の手段で取り付けて固定してもよい。
【００２４】
側板３０Ｌ、３０Ｒの上端の前後の端部には切欠き３０ＬＮＵと３０ＲＮＵとを有し、図示の形態では、前後の２つの上部桁部材４０Ｕがこれらの上端前後の切欠き溝３０ＬＮＵと３０ＲＮＵとに跨って嵌め込んで固定されている。また、側板３０Ｌ、３０Ｒの下端後部には同様に切欠き溝３０ＬＮＬと３０ＲＮＬとを有し、図示の形態では、１つの下部桁部材４０Ｌがこれらの下端の切欠き溝３０ＬＮＬと３０ＲＬとに跨って嵌め込んで固定されている。上部桁部材４０Ｕは、切欠き溝３０ＬＮＵ、３０ＲＮＵと噛み合う切欠き溝４０ＵＬＧ、４０ＵＲＧを有し、また、下部桁部材４０Ｌは、切欠き溝３０ＬＮＬ，３０ＲＮＬと噛み合う切欠き溝４０ＬＬＧ、４０ＬＲＧを有する。なお、明細書の以下の記載において上下の桁部材４０Ｕ、４０Ｌを符号４０で総称することもある。
【００２５】
従って、図１０に示すように、1対の柱部材２０と1対の側板３０と上下の桁部材４０とは、相互に、一体的に固定されて左右上下に揺れ止めされた強固な棚板受け構造体１０Ｆを形成していることが解る。なお、図１０から解るように、この棚板受け構造体１０Ｆの１対の側板３０と上部桁部材４０Ｕの上面は、同じ高さ面を有するように設定されている。また、この棚板受け構造体１０Ｆの１対の柱部材２０Ｌ、２０Ｒは、側板３０及び上部桁部材４０Ｕの上面と同じ高さ面で凹んで形成された切欠き溝２０ＬＮ、２０ＲＮ（明細書の以下の記載において符号２０Ｎで総称することもある）を有し、これらの切欠き溝２０Ｎは、後に述べるように、棚板５０を係入（圧入）するためのものである。
【００２６】
棚板５０は、図１１及び図１２に示すように、その前部両端に取り付けられた１対の支持杆５２Ｌ、５２Ｒ(明細書の以下の記載において符号５２で総称することもある)を介して取り付けられた雲板５４を含み、この棚板５０は、棚板受け構造体１０Ｆの上面に搭載しその柱部材２０の切欠き２０Ｎに噛み合うように圧入して棚板受け構造体１０Ｆに取り付けられている(図５参照)。
【００２７】
棚板５０は、１対の柱部材２０Ｌ、２０Ｒの切欠き溝２０ＬＧ、２０ＲＧを越えて柱部材２０Ｌ、２０Ｒの両側面に衝合するように柱部材２０に噛み合う切欠き溝５０ＬＧ、５０ＲＧを有する。従って、棚板５０は、強固に一体化した棚板受け構造体１０Ｆに、嵌め込み作業のみで強固に組み付けることができることが解る。なお、図７に示すように、同じ棚板受け構造体１０Ｆに対して異なる寸法の棚板５０を適宜選択して使用することができる。
【００２８】
棚板５０は、棚受け構造体１０Ｆに対して柱部材２０Ｌ、２０Ｒとの噛み合いによって左右に変位することがなく搭載されるが、棚板５０が棚受け構造体１０Ｆから前後に変位したり上下に変位したりすることがないように保持するための手段を有することができる。この保持手段６０が図１７に示されており、この保持手段６０は、図示の形態では、前方にある上桁部材４０Ｕの両端のねじ貫通孔４０ＵＨに貫通し棚板５０のねじ孔５０Ｈにねじ込んだ木ねじ６２から成っている。この木ねじ６２は、その頭部６２Ｈがねじ貫通孔４０ＵＨ内に埋め込まれるようにするのが好ましい。
【００２９】
図示の形態では、１対の支持杆５２Ｌ、５２Ｒは、その下端に本体よりも小さな断面の差込み杆部５２ＬＩ、５２ＲＩ（５２Ｉで総称することもある）を有し、これらの支持杆５２は、その差し込み杆部５２Ｉを棚板５０の差込み孔５０ＬＨ、５０ＲＨ（５０Ｈで総称することもある）に硬く差し込んで固定されている。また、雲板５４は、図１２に示すように、その裏面に１対の溝５４ＬＧ、５４ＲＧ(符号５４Ｇで総称することもある)を有し、支持杆５２は、その上端を雲板５４の切欠き溝５４Ｇに嵌め込んで雲板５４を取り付けている。なお、図示の形態では、支持杆５２は、単に、雲板５４の切欠き溝５４Ｇに嵌め込んでいるが、支持杆５２にも切欠き溝を設けてこの切欠き溝と雲板５４の切欠き溝とを噛み合うように結合してもよい。
【００３０】
雲板５４を支持する支持杆５２の下端を棚板５０に差し込んで固定する部分を補強するために、図１８に示すように、棚板５０は、この支持杆５２の下端の差込み部に補強片５０Ｐを接着等によって固定し、支持杆５２の下端をこの補強片５０Ｐと棚板５０とに跨って差し込んで支持杆５２を固定することができる。
【００３１】
このように、神棚１０は、１対の柱部材２０と１対の側板３０とこれらの側板の上下に結合された上下の桁部材４０とによって強固に組み立てられた棚板受け構造体１０Ｆに棚板５０を搭載して形成されているので、鴨居のない建物にも上下左右に揺れることなく強固に神棚を組み付けることができる。
【００３２】
また、神棚１０は、柱部材のねじ止め、必要に応じて行われる棚板50のねじ止めを除いて各部材を接着又は噛み合わせによって組み立てることができるので、神棚の組立てを容易に行うことができる。
【００３３】
なお、図１乃至図１２の実施の形態では、棚板５０は、柱部材２０Ｌ、２０Ｒにそれぞれ噛み合う切欠き溝５０ＬＧ、５０ＲＧを有するが、図１３に示すように、棚板の後縁に沿って左右に開放している側部切欠き５０ＬＮ、５０ＲＮを有してこれらの切欠き５０ＬＮ、５０ＲＮの間に形成される突部５０ＮＰが１対の柱部材２０Ｌ、２０Ｒの間に入り込んで棚板５０が１対の柱部材２０Ｌ、２０Ｒの間に挟み込まれて左右にずれることがないように組み付けてもよい。
【００３４】
上記の実施の形態では、１対の柱部材２０Ｌ、２０Ｒを用いたが、図１３乃至図１５は、１つの柱部材２０で棚板受け構造体１０Ｆを形成した本発明の他の実施の形態を示す。
【００３５】
この実施の形態では、１つの柱部材２０が壁板にねじ止めで取り付けられ、１対の側板３０Ｌ、３０Ｒは、後部桁部材を兼ねた保持板部材３２の両端に接着等によって固定され、この保持板部材３２は、その背面に形成された切欠き溝３２Ｇに１つの柱部材２０を圧入するように噛み合わせて柱部材３２に固定されている。１対の側板３０Ｌ、３０Ｒは、その上端前部に設けられた切欠き３０ＬＮ、３０ＲＮに上部桁部材４０Ｕの切欠き溝４０ＵＬＧ、４０ＵＲＧを噛み合わせて、上部桁部材４０Ｕによって左右の強度を補強している。なお、保持板部材３２が柱部材２０に対して上下方向にずれるのを防止するため、保持板部材３２のねじ貫通孔３２Ｈを通してねじを柱部材２０にねじ込むのが好ましい。
【００３６】
図１３乃至図１５の実施の形態でも、柱部材２０と保持板部材３２を含む１対の側板３０と桁部材４０Ｕとによって一体化された強固な棚板受け構造体１０Ｆが形成され、図１乃至図１２の実施の形態と同様に神棚を強固に且つ容易に組み立てることができる。
【００３７】
なお、上記の２つの実施の形態では、棚板は、棚板受け構造体の上に搭載し柱部材に噛み合わせて取り付けられているが、棚板の下面に棚板受け構造体の側板又は桁部材に噛み合う切欠きを設けて柱部材以外の部分に固定してもよいし、柱部材と側板又は桁部材のいずれかあるいは両方に固定してもよい。
【産業上の利用可能性】
【００３８】
本発明によれば、柱部材と１対の側板と桁部材とで一体化された強固な棚板受け構造体を形成することができ、棚板は、この棚板受け構造体の上に搭載して取り付けられるので、鴨居がない建物にも強固に且つ容易に固定することができ、産業上の利用可能性が高い。
【符号の説明】
【００３９】
Ｂ      建物
Ｗ      壁板
Ｓ      壁板受け止め部材
１０      神棚
１０Ｆ    棚板受け構造体
２０、２０Ｌ、２０Ｒ  柱部材（又は縦部材）
２０ＬＮ、２０ＲＮ    切欠き溝
２０ＨＵ、２０ＨＬ    ねじ貫通孔
２４  ねじ
３０、３０Ｌ、３０Ｒ  左右１対の側板
３０ＬＮＵ、３０ＲＮＵ、３０ＬＮＬ、３０ＲＮＬ  切欠き溝
３２      保持板部材
３２Ｇ    切欠き溝
４０、４０Ｕ、４０Ｌ  上下の桁部材
４０ＵＬＧ、４０ＵＲＧ、４０ＬＬＧ、４０ＬＲＧ  切欠き溝
５０      棚板
５０Ｐ    補強片
５０ＮＰ  突部
５０Ｈ、５０ＬＨ、５０ＲＨ  差込み孔
５０ＬＧ、５０ＲＧ    切欠き溝
５０ＬＮ、５０ＲＮ    側部切欠き
５２、５２Ｌ、５２Ｒ  １対の支持杆
５２Ｉ、５２ＬＩ、５２ＲＩ  差込み杆部
５４      雲板
５４Ｇ、５４ＬＧ、５４ＲＧ  １対の溝
６０      神殿
【図１】
2015023948.tif 000003
【図２】
2015023948.tif 000004
【図３】
2015023948.tif 000005
【図４】
2015023948.tif 000006
【図５】
2015023948.tif 000007
【図６】
2015023948.tif 000008
【図７】
2015023948.tif 000009
【図８】
2015023948.tif 000010
【図９】
2015023948.tif 000011
【図１０】
2015023948.tif 000012
【図１１】
2015023948.tif 000013
【図１２】
2015023948.tif 000014
【図１３】
2015023948.tif 000015
【図１４】
2015023948.tif 000016
【図１５】
2015023948.tif 000017
【図１６】
2015023948.tif 000018
【図１７】
2015023948.tif 000019
【図１８】
2015023948.tif 000020
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
建物の壁板にねじ止め等によって固定される少なくとも１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成り、前記棚板受け構造体の桁部材は、前記側板の上面間に取り付けられる上部桁部材と、前記側板の下面間に跨って支持される下部桁部材とから成っていることを特徴とする神棚。
【請求項２】
請求項１に記載の神棚であって、前記棚板は、その前部両端に取り付けられた１対の支持杆を介して取り付けられた雲板を含んでいる神棚。
【請求項３】
請求項１又は２に記載の神棚であって、左右の１対の柱部材を有し、前記１対の側板は、相応する１対の柱部材にそれぞれ取り付けられている神棚。
【請求項４】
請求項１又は２に記載の神棚であって、前記１対の側板は、１つの柱部材に取り付けられる１つの保持板部材の両端に取り付けられている神棚。
【請求項５】
請求項１乃至４のいずれかに記載の神棚であって、前記柱部材と桁部材とは、相互に噛み合う切欠きを有する神棚。
【請求項６】
請求項１乃至５のいずれかに記載の神棚であって、前記棚板は、前記柱部材に相互に噛み合う切欠きを介して結合されている神棚。
【請求項７】
請求項１乃至６のいずれかに記載の神棚であって、前記棚板受け構造体の前記桁部材と１対の側板とは、同一の上面を有する神棚。
【請求項８】
建物の壁板にねじ止め等によって固定される１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成り、前記１対の側板は、前記１つの柱部材に取り付けられる１つの保持板部材の両端に取り付けられている神棚。
【手続補正２】
【補正対象書類名】明細書
【補正対象項目名】全文
【補正方法】変更
【補正の内容】
【発明の詳細な説明】
【技術分野】
【０００１】
本発明は、神棚に関し、特に、鴨居を有しない住宅の室内に組立てることができる神棚に関するものである。
【背景技術】
【０００２】
神棚は、通常、鴨居の上面を利用して載置し天井に固定された１対の前柱によって懸吊された棚本体を含んでいるが、最近の住宅、特に、マンションの如き洋風の住宅は、鴨居を有しないことが多く、このような住宅に神棚を祀ることが難しい。このため、鴨居を有しない住宅にも壁板に容易に設置することができる種々の簡易神棚が提案されている。
【０００３】
これらの、簡易神棚は、単に家具等の上に載置する鳥居付きの神札立ての形態の据え置き型神棚（特許文献１の実用新案登録第３０７９４４２号公報参照）や吊り紐や吊り金具を有する額縁式の神棚（例えば特許文献２の実開昭６２−１４２９８３号公報、特許文献３の実開平３−１１８７８号公報、特許文献４の特開平６−３４３５４３号公報参照）や、神棚本体の背面に設けられた係止金具によって壁板に掛け止めされる神棚（特許文献５の登録実用新案第３０３０５８０号公報参照）や、画鋲や両面テープで壁板に取り付けられる厚紙製の軽量神棚（特許文献６の特開２００１−１８６９８１号公報参照）がある。
【０００４】
これらの簡易神棚において、据え置き型神棚の如き、単なる置物の形態では、荘厳さに欠け、また懸吊型や壁掛け型の神棚は、棚板の上に載置することができないので、神棚本体が軽量であることが要求されるため、同様に、荘厳さに欠ける欠点があった。
【０００５】
また、いずれの形態でも、従来技術の簡易神棚は、大型の神殿を使用することができないので、神殿の中に神札を祀るスペースをとることが難しい。従来から小型の神殿に神札を収納するために、神殿の背板を左右方向に摺動することによって開閉することができるようにして裏側から神札を収納したり（特許文献７の実用新案登録第３０１９６１４号公報参照）、神殿の底板に神札を挿入することができるスリットを設けたりしているが（特許文献８の実用新案登録第２５３７９７７号公報参照）、これらは、いずれも神殿内に神札を収納する閉じられた収納空間を有するので、神殿の奥行きが大きくなり、また神札収納空間内に正しく重ねて祀ることが困難であった。
【０００６】
これらの欠点を解消するため、本出願人は、先に、壁板に懸吊する形式であるが、棚板を用いて大型の神殿を載置することができる神棚を提案した(特許文献９の特開２００３-１８９９９９号公報参照)。
【０００７】
この神棚は、壁板１２に斜め差込みのピン２２によって間隔をあけて懸吊される１対の懸吊具３６を有し、これらの１対の懸吊具３６に掛け止め具４０によって掛け止められた棚本体１４から成り、棚本体１４の背板１６と壁板１２との間にスペーサ２８Ａが設けられて棚本体１４が安定した姿勢で懸吊されるようになっている。
【０００８】
しかし、この神棚は、棚本体を懸吊する形態であるため、棚本体の安定性が低く、特に、地震によって揺れを受けると、破損し易く、また、例えば、榊立て等の神具を神棚に捧げる際等に神棚に手を付いて力を加えるようなことがあると、棚本体が揺れたり、懸吊が外れたりする虞があり、高い強度で棚本体を壁板に取り付けることができない欠点があった。
【０００９】
一方、神棚の棚板を壁板に水平方向に取り付けられた受け部材を鴨居の代わりにして取り付けることが行われている(非特許文献１のクボテラ有限会社のホームページ、クボテラサイト神棚セット参照)。この神棚は、懸吊式の神棚に比べて安定して取り付けられるが、受け部材は、鴨居のように強固受け機能を保持することができないので、強度的に劣る欠点があった。
【先行技術文献】
【特許文献】
【００１０】
・  特許文献１  実用新案登録第３０７９４４２号公報
・  特許文献２  実開昭６２−１４２９８３号公報
・  特許文献３  実開平３−１１８７８号公報
・  特許文献４  特開平６−３４３５４３号公報
・  特許文献５  登録実用新案第３０３０５８０号公報
・  特許文献６  特開２００１−１８６９８１号公報
・  特許文献７  実用新案登録第３０１９６１４号公報
・  特許文献８  実用新案登録第２５３７９７７号公報
・  特許文献９  特開２００３-１８９９９９号公報
【非特許文献】
【００１１】
非特許文献１  クボテラ有限会社のホームページ、クボテラサイト神棚セット
【発明の概要】
【発明が解決しようとする課題】
【００１２】
本発明が解決しようとする課題は、鴨居がなくても簡単に取り付けることができ、また高い強度で安定して壁板に取り付けることができる神棚を提供することにある。
【課題を解決するための手段】
【００１３】
本発明の１つの課題解決手段は、建物の壁板にねじ止め等によって固定される少なくとも１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成り、前記棚板受け構造体の桁部材は、前記側板の上面間に取り付けられる上部桁部材と、前記側板の下面間に跨って支持される下部桁部材とから成っていることを特徴とする神棚を提供することにある。
【００１４】
本発明の上記課題解決手段において、前記棚板は、その前部両端に取り付けられた１対の支持杆を介して取り付けられた雲板を含んでいるのが好ましい。
【００１５】
本発明の上記課題解決手段において、左右の１対の柱部材を有し、前記１対の側板は、相応する１対の柱部材にそれぞれ接着等の適宜の手段によって取り付けられるのが好ましいが、１つの柱部材に取り付けられる１つの保持板部材の両端に適宜の手段で取り付けられていてもよい。
【００１６】
本発明の上記課題解決手段において、前記柱部材と桁部材とは、相互に噛み合う切欠きを有するのが好ましく、また前記棚板は、前記柱部材に相互に噛み合う切欠きを介して結合されているのが好ましい。
【００１７】
本発明の上記課題解決手段において、前記棚板受け構造体は、前記桁部材と１対の側板とは、上面が同一面となるように結合されるのが好ましい。
【００１８】
本発明の他の課題解決手段は、建物の壁板にねじ止め等によって固定される１つの柱部材と前記柱部材の前面に取り付けられる１対の側板と前記側板の上面間に跨って取り付けられる桁部材とを含む棚板受け構造体と、前記棚板受け構造体に搭載されて固定される棚板とから成り、前記１対の側板は、前記１つの柱部材に取り付けられる１つの保持板部材の両端に取り付けられている神棚を提供することにある。
【発明の効果】
【００１９】
本発明によれば、建物の壁板にねじ止め等によって固定される柱部材とこの柱部材の前面に取り付けられる１対の側板とこれらの１対の側板に跨って支持される桁部材とを含む棚板受け構造体から成り、棚板は、この棚板受け構造体に搭載されるので、棚板は、建物の壁板に強固に取り付けられる上に棚板受け構造体によって上下左右のいずれの方向に対しても高い強度を有し、また、雲板は、1対の支持杆を介して側板の前部両端に取り付けられるので、荘厳さを有する神棚を容易に組み立てることができる。
【図面の簡単な説明】
【００２０】
【図１】本発明の1つの実施の形態による神棚の斜視図である。
【図２】図１の神棚の正面図である。
【図３】図２と同様であるが、棚板の上に神殿を祀った神棚の正面図である。
【図４】図２の神棚の背面図である。
【図５】図１の神棚の左側面図である。
【図６】図１の神棚の上面図である。
【図７】図１の神棚に用いられる異なる寸法の棚板の斜視図である。
【図８】図１の神棚に用いられる柱部材と側板との分解斜視図である。
【図９】図１の神棚の棚板を除く部分(棚板受け構造体)の分解斜視図である。
【図１０】図９の構造体の組み立て状態の斜視図である。
【図１１】図１の神棚に用いられる棚板と支持杆付雲板との分解斜視図である。
【図１２】図１の神棚に用いられる支持杆と雲板との背面から見た分解斜視図である。
【図１３】図１の神棚に用いることができる異なる形態の棚板の斜視図である。
【図１４】本発明の他の実施の形態による神棚の斜視図である。
【図１５】図１４の神棚の棚板と支持杆と雲板とを除く部分(棚板受け構造体)の組み立て状態の斜視図である。
【図１６】図１５の棚板受け構造体の組み立て状態から上桁部材を取り外した状態の斜視図である。
【図１７】棚板受け構造体の上桁部材に棚板を固定する手段の拡大断面図である。
【図１８】棚板に雲板を支持する支持杆の取り付部の変形された形態の部分斜視図である。
【発明を実施するための形態】
【００２１】
本発明の１つの実施の形態による神棚１０が図１乃至図１２に示されており、この神棚１０は、棚板受け構造体１０Ｆとこの棚板受け構造体１０Ｆ上に搭載して固定される棚板５０とから成り、棚板受け構造体１０Ｆは、建物Ｂの壁板Ｗ(図５参照)に間隔をあけてねじ止め等によって固定される左右２つの柱部材（又は縦部材）２０Ｌ、２０Ｒと、これらの柱部材２０Ｌ、２０Ｒ(明細書の以下の記載において符号２０で総称することもある)の前面に取り付けられる左右１対の側板３０Ｌ、３０Ｒ(明細書の以下の記載において符号３０で総称することもある)と、これらの側板３０Ｌ、３０Ｒの上面間に跨って支持される上部桁部材４０Ｕと、これらの側板３０Ｌ、３０Ｒの下面間に跨って支持される下部桁部材４０Ｌとを含んでいる。なお、図３において、符号６０は、棚板５０の上に祀った神殿である。
【００２２】
柱部材２０Ｌ、２０Ｒは、その上下端部にねじ貫通孔２２ＨＵ、２０ＨＬをそれぞれ有し、これらの柱部材２０Ｌ、２０Ｒは、ねじ貫通孔２２ＨＵ、２２ＨＬを貫通して建物Ｂの壁板Ｗ、好ましくは、壁板Ｗを受け止める胴縁、間柱の如き受け止め部材Ｓにねじ込まれるねじ２４によって固定される。
【００２３】
側板３０Ｌ、３０Ｒは、図５、図9及び図１０に示すように、1対の柱部材２０Ｌ、２０Ｒの前面に適宜の接着剤で接着して固定されるが、接着に代えて木ねじ等の他の適宜の手段で取り付けて固定してもよい。
【００２４】
側板３０Ｌ、３０Ｒの上端の前後の端部には切欠き３０ＬＮＵと３０ＲＮＵとを有し、図示の形態では、前後の２つの上部桁部材４０Ｕがこれらの上端前後の切欠き溝３０ＬＮＵと３０ＲＮＵとに跨って嵌め込んで固定されている。また、側板３０Ｌ、３０Ｒの下端後部には同様に切欠き溝３０ＬＮＬと３０ＲＮＬとを有し、図示の形態では、１つの下部桁部材４０Ｌがこれらの下端の切欠き溝３０ＬＮＬと３０ＲＬとに跨って嵌め込んで固定されている。上部桁部材４０Ｕは、切欠き溝３０ＬＮＵ、３０ＲＮＵと噛み合う切欠き溝４０ＵＬＧ、４０ＵＲＧを有し、また、下部桁部材４０Ｌは、切欠き溝３０ＬＮＬ，３０ＲＮＬと噛み合う切欠き溝４０ＬＬＧ、４０ＬＲＧを有する。なお、明細書の以下の記載において上下の桁部材４０Ｕ、４０Ｌを符号４０で総称することもある。
【００２５】
従って、図１０に示すように、1対の柱部材２０と1対の側板３０と上下の桁部材４０とは、相互に、一体的に固定されて左右上下に揺れ止めされた強固な棚板受け構造体１０Ｆを形成していることが解る。なお、図１０から解るように、この棚板受け構造体１０Ｆの１対の側板３０と上部桁部材４０Ｕの上面は、同じ高さ面を有するように設定されている。また、この棚板受け構造体１０Ｆの１対の柱部材２０Ｌ、２０Ｒは、側板３０及び上部桁部材４０Ｕの上面と同じ高さ面で凹んで形成された切欠き溝２０ＬＮ、２０ＲＮ（明細書の以下の記載において符号２０Ｎで総称することもある）を有し、これらの切欠き溝２０Ｎは、後に述べるように、棚板５０を係入（圧入）するためのものである。
【００２６】
棚板５０は、図１１及び図１２に示すように、その前部両端に取り付けられた１対の支持杆５２Ｌ、５２Ｒ(明細書の以下の記載において符号５２で総称することもある)を介して取り付けられた雲板５４を含み、この棚板５０は、棚板受け構造体１０Ｆの上面に搭載しその柱部材２０の切欠き２０Ｎに噛み合うように圧入して棚板受け構造体１０Ｆに取り付けられている(図５参照)。
【００２７】
棚板５０は、１対の柱部材２０Ｌ、２０Ｒの切欠き溝２０ＬＧ、２０ＲＧを越えて柱部材２０Ｌ、２０Ｒの両側面に衝合するように柱部材２０に噛み合う切欠き溝５０ＬＧ、５０ＲＧを有する。従って、棚板５０は、強固に一体化した棚板受け構造体１０Ｆに、嵌め込み作業のみで強固に組み付けることができることが解る。なお、図７に示すように、同じ棚板受け構造体１０Ｆに対して異なる寸法の棚板５０を適宜選択して使用することができる。
【００２８】
棚板５０は、棚受け構造体１０Ｆに対して柱部材２０Ｌ、２０Ｒとの噛み合いによって左右に変位することがなく搭載されるが、棚板５０が棚受け構造体１０Ｆから前後に変位したり上下に変位したりすることがないように保持するための手段を有することができる。この保持手段６０が図１７に示されており、この保持手段６０は、図示の形態では、前方にある上桁部材４０Ｕの両端のねじ貫通孔４０ＵＨに貫通し棚板５０のねじ孔５０Ｈにねじ込んだ木ねじ６２から成っている。この木ねじ６２は、その頭部６２Ｈがねじ貫通孔ＵＨ内に埋め込まれるようにするのが好ましい。
【００２９】
図示の形態では、１対の支持杆５２Ｌ、５２Ｒは、その下端に本体よりも小さな断面の差込み杆部５２ＬＩ、５２ＲＩ（５２Ｉで総称することもある）を有し、これらの支持杆５２は、その差し込み杆部５２Ｉを棚板５０の差込み孔５０ＬＨ、５０ＲＨ（５０Ｈで総称することもある）に硬く差し込んで固定されている。また、雲板５４は、図１２に示すように、その裏面に１対の溝５４ＬＧ、５４ＲＧ(符号５４Ｇで総称することもある)を有し、支持杆５２は、その上端を雲板５４の切欠き溝５４Ｇに嵌め込んで雲板５４を取り付けている。なお、図示の形態では、支持杆５２は、単に、雲板５４の切欠き溝５４Ｇに嵌め込んでいるが、支持杆５２にも切欠き溝を設けてこの切欠き溝と雲板５４の切欠き溝とを噛み合うように結合してもよい。
【００３０】
雲板５４を支持する支持杆５２の下端を棚板５０に差し込んで固定する部分を補強するために、図１８に示すように、棚板５０は、この支持杆５２の下端の差込み部に補強片５０Ｐを接着等によって固定し、支持杆５２の下端をこの補強片５０Ｐと棚板５０とに跨って差し込んで支持杆５２を固定することができる。
【００３１】
このように、神棚１０は、１対の柱部材２０と１対の側板３０とこれらの側板の上下に結合された上下の桁部材４０とによって強固に組み立てられた棚板受け構造体１０Ｆに棚板５０を搭載して形成されているので、鴨居のない建物にも上下左右に揺れることなく強固に神棚を組み付けることができる。
【００３２】
また、神棚１０は、柱部材のねじ止め、必要に応じて行われる棚板50のねじ止めを除いて各部材を接着又は噛み合わせによって組み立てることができるので、神棚の組立てを容易に行うことができる。
【００３３】
なお、図１乃至図１２の実施の形態では、棚板５０は、柱部材２０Ｌ、２０Ｒにそれぞれ噛み合う切欠き溝５０ＬＧ、５０ＲＧを有するが、図１３に示すように、棚板の後縁に沿って左右に開放している側部切欠き５０ＬＮ、５０ＲＮを有してこれらの切欠き５０ＬＮ、５０ＲＮの間に形成される突部５０ＮＰが１対の柱部材２０Ｌ、２０Ｒの間に入り込んで棚板５０が１対の柱部材２０Ｌ、２０Ｒの間に挟み込まれて左右にずれることがないように組み付けてもよい。
【００３４】
上記の実施の形態では、１対の柱部材２０Ｌ、２０Ｒを用いたが、図１３乃至図１５は、１つの柱部材２０で棚板受け構造体１０Ｆを形成した本発明の他の実施の形態を示す。
【００３５】
この実施の形態では、１つの柱部材２０が壁板にねじ止めで取り付けられ、１対の側板３０Ｌ、３０Ｒは、後部桁部材を兼ねた保持板部材３２の両端に接着等によって固定され、この保持板部材３２は、その背面に形成された切欠き溝３２Ｇに１つの柱部材２０を圧入するように噛み合わせて柱部材３２に固定されている。１対の側板３０Ｌ、３０Ｒは、その上端前部に設けられた切欠き３０ＬＮ、３０ＲＮに上部桁部材４０Ｕの切欠き溝４０ＵＬＧ、４０ＵＲＧを噛み合わせて、上部桁部材４０Ｕによって左右の強度を補強している。なお、保持板部材３２が柱部材２０に対して上下方向にずれるのを防止するため、保持板部材３２のねじ貫通孔３２Ｈを通してねじを柱部材２０にねじ込むのが好ましい。
【００３６】
図１３乃至図１５の実施の形態でも、柱部材２０と保持板部材３２を含む１対の側板３０と桁部材４０Ｕとによって一体化された強固な棚板受け構造体１０Ｆが形成され、図１乃至図１２の実施の形態と同様に神棚を強固に且つ容易に組み立てることができる。
【００３７】
なお、上記の２つの実施の形態では、棚板は、棚板受け構造体の上に搭載し柱部材に噛み合わせて取り付けられているが、棚板の下面に棚板受け構造体の側板又は桁部材に噛み合う切欠きを設けて柱部材以外の部分に固定してもよいし、柱部材と側板又は桁部材のいずれかあるいは両方に固定してもよい。
【産業上の利用可能性】
【００３８】
本発明によれば、柱部材と１対の側板と桁部材とで一体化された強固な棚板受け構造体を形成することができ、棚板は、この棚板受け構造体の上に搭載して取り付けられるので、鴨居がない建物にも強固に且つ容易に固定することができ、産業上の利用可能性が高い。
【符号の説明】
【００３９】
Ｂ  建物
Ｗ  壁板
Ｓ  壁板受け止め部材
１０  神棚
１０Ｆ  棚板受け構造体
２０、２０Ｌ、２０Ｒ  柱部材（又は縦部材）
２０ＬＮ、２０ＲＮ  切欠き溝
２０ＨＵ、２０ＨＬ  ねじ貫通孔
２４  ねじ
３０、３０Ｌ、３０Ｒ  左右１対の側板
３０ＬＮＵ、３０ＲＮＵ、３０ＬＮＬ、３０ＲＮＬ  切欠き溝
３２  保持板部材
３２Ｇ  切欠き溝
４０、４０Ｕ、４０Ｌ  上下の桁部材
４０ＵＬＧ、４０ＵＲＧ、４０ＬＬＧ、４０ＬＲＧ  切欠き溝
５０  棚板
５０Ｐ  補強片
５０ＮＰ  突部
５０Ｈ、５０ＬＨ、５０ＲＨ  差込み孔
５０ＬＧ、５０ＲＧ  切欠き溝
５０ＬＮ、５０ＲＮ  側部切欠き
５２、５２Ｌ、５２Ｒ  １対の支持杆
５２Ｉ、５２ＬＩ、５２ＲＩ  差込み杆部
５４  雲板
５４Ｇ、５４ＬＧ、５４ＲＧ  １対の溝
６０  神殿